(57)【要約】      （修正有）【課題】共通コネクタとしての効果があり、基板に対する空間を節約することができるメモリカードコネクタを提供する。【解決手段】本考案は、カバー体１と、前記カバー体の一側面に配置されるベース体２からなり、該カバー体とベース体との間に第１の挿入槽１１が形成され、また、該ベース体上には、区切り部２２により、第２の挿入槽２３及び第３の挿入槽２４が形成され、これにより、該メモリカードコネクタには、同時に三つの異なるメモリカードが挿入されて接続され、且つ、五つの異なるメモリカードが挿入されて接続される。【選択図】図２
0003100667.tif 000002
【実用新案登録請求の範囲】
【請求項１】
その上に貫通槽が設けられ、貫通槽の近くに貫通穴があり、該貫通穴上に別々にプロングが設けられ、該プロングの一部がカバー体の一端面に接続され、もう一部が湾曲されてカバー体の一側に設けられ、該湾曲をカバー体の一側にあるプロングに設置することにより、基板に電気的に接続される、カバー体と、
上記カバー体の一面に第１のベース体が配置されて、該カバー体と第１のベース体の間に第１の挿入槽が形成され、該ベース体上に区切り部があり、該区切り部を利用して、ベース体に第２の挿入槽及び第３の挿入槽を形成し、該第２の挿入槽及び第３の挿入槽の両側に、別々に案内レールが設けられ、該第２の挿入槽の端面の両側に、別々に導通部が設置され、該導通部が湾曲されて該第２の挿入槽の一端縁に設けられ、また、第３の挿入槽の端面の一側に端子が設けられ、該端子が湾曲されて該第３の挿入槽の一端縁に設けられ、該第２の挿入槽の導通部及び第３の挿入槽の端子により、基板に電気的に接続される、ベース体とがあり、
上記の構成により、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成すること、を特徴とするメモリカードコネクタの改良。
【請求項２】
上記カバー体上に固定孔が設けられ、上記ベース体の端面上に該カバー体の固定孔と対応する凸柱が設けられることにより、該カバー体とベース体の間に、第１の挿入槽が形成されること、を特徴とする請求項１記載のメモリカードコネクタの改良。
【請求項３】
上記第２の挿入槽の両側には、別々に案内レールが設けられていること、を特徴とする請求項１記載のメモリカードコネクタの改良。
【請求項４】
上記第１の挿入槽の規格は、SMC（Smart Media Card）が挿入できる規格であること、を特徴とする請求項１記載のメモリカードコネクタの改良。
【請求項５】
上記第２の挿入槽の規格は、MS（Memory Stick）規格及びXD（XD Picture Card）が挿入できる規格であること、を特徴とする請求項１記載のメモリカードコネクタの改良。
【請求項６】
上記第３の挿入槽の規格は、SD(Secure Digital Memory Card)規格及びMMC(Multi Media Card)が挿入できる規格であること、を特徴とする請求項１記載のメモリカードコネクタの改良。
【考案の詳細な説明】
【技術分野】
【０００１】
本考案は、メモリカードコネクタの改良に関し、特に、三つの異なるメモリカードが、同時に該メモリカードコネクタに挿入されて接続されることだけでなく、且つ、五つの異なるメモリカードが挿入されて接続されることができ、共通コネクタとしての効果があって、また、該メモリカードコネクタにより、基板に対する、空間を節約する目的が実現できる。
【背景技術】
【０００２】
一般、従来のメモリカード共通挿座は、特許文献１に記載される「メモリカード共通挿座」のように、ベースに上カバーが接続され、該ベース及び/或いは上カバーには、メモリカード連接片に合わせる導通部が設けられ、該ベースに頂面と、第１の凹部と、第２の凹部とが設置され、該第２の凹部に比較的に狭い領域があり、該上カバーにある槽面と、第１の増高部と、第２の増高部とにより、共通挿座内部に第１の収納空間と、第２の収納空間と、第３の収納空間とが形成され、該第１の収納空間と、第２の収納空間と、第３の収納空間とに、共通する部分が含まれている。
【０００３】
上記の「メモリカード共通挿座」は、三つの異なるメモリカードが挿入され接続できる共通挿座であるが、該「メモリカード共通挿座」は、同時に三つの異なるメモリカードが挿入されて接続されることができなくて、同時に二つの異なるメモリカードしか挿入できないので、該「メモリカード共通挿座」は、ユーザーが「別々に」三つの異なるメモリカードを挿入するという効果をしか提供しないから、該共通挿座にそれらのメモリカードを同時に挿入して接続することができず、ゆえに、上記の従来構成は、現実の使用上に不足
がある。
【特許文献１】台湾特許公報第４９５１１０号
【考案の開示】
【考案が解決しようとする課題】
【０００４】
本考案の主な目的は、該メモリカードコネクタには、同時に三つの異なるメモリカードが挿入されて接続され、且つ、五つの異なるメモリカードが挿入されて接続されることができる、共通コネクタとしての効果を提供する。
【０００５】
本考案のもう一つの目的は、該メモリカードコネクタにより、基板に対する、空間を節約する。
【課題を解決するための手段】
【０００６】
本考案は、上記の目的を達成するために、メモリカードコネクタの改良であり、その上に貫通槽が設けられ、貫通槽の近くに貫通穴があり、該貫通穴上に別々にプロングが設けられ、該プロングの一部がカバー体の一端面に接続され、もう一部が湾曲されてカバー体の一側に設けられ、該湾曲をカバー体の一側にあるプロングに設置することにより、基板に電気的に接続される、カバー体と、
上記カバー体の一面に第１のベース体が配置されて、該カバー体と第１のベース体の間に第１の挿入槽が形成され、該ベース体上に区切り部があり、該区切り部を利用して、ベース体に第２の挿入槽及び第３の挿入槽を形成し、該第２の挿入槽及び第３の挿入槽の両側に、別々に案内レールが設けられ、該第２の挿入槽の端面の両側に、別々に導通部が設置され、該導通部が湾曲されて該第２の挿入槽の一端縁に設けられ、また、第３の挿入槽の端面の一側に端子が設けられ、該端子が湾曲されて該第３の挿入槽の一端縁に設けられ、該第２の挿入槽の導通部及び第３の挿入槽の端子により、基板に電気的に接続される、ベース体とがあり、
上記の構成により、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成する。
【考案の効果】
【０００７】
本考案のメモリカードコネクタが、基板４に電気的に接続されると、ユーザーが本考案のメモリカードコネクタを使用する場合、本考案のメモリカードコネクタの第１の挿入槽１５にSMCカード５１（Smart Media Card）を挿入し、第２の挿入槽２３に、該案内レール２３３の案内により、必要に応じて、別々にMSカード５２（Memory Stick）及びXD?５３（XD Picture Card）を挿入し、また、第３の挿入槽２４に、該案内レール２４２の案内により、必要に応じて、別々にSDカード５４(Secure Digital Memory Card)及びMMCカード５５(Multi Media Card)を挿入することができるから、本考案は、別々に五つの異なるメモリカード（図３のよう）が適用され、ファイブインワンのメモリカードコネクタという効果が達成され、また、本考案のメモリカードコネクタにおいて、同時に、第１の挿入槽１５にSMCカード５１（Smart Media Card）を挿入し、第２の挿入槽２３にMSカード５２（Memory Stick）或いはXDカード５３（XD Picture Card）を挿入し、第３の挿入槽２４にSDカード５４(Secure Digital Memory Card)或いはMMCカード５５(Multi Media Card)を挿入することができるから、本考案のメモリカードコネクタは、ファイブインワンであるメモリカードコネクタの効果が達成できることだけでなく、同時に三つの異なるメモリカードを挿入する効果（図４のように）が達成できる。
【考案を実施するための最良の形態】
【０００８】
図１乃至図５は、夫々、本考案の立体外観概念図、本考案の立体分解概念図、本考案の側面概念図、本考案の使用状態概念図、及び本考案のもう一つの使用状態概念図である。図のように、本考案は、メモリカードコネクタの改良であり、カバー体１及びベース体２からなり、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成する。
【０００９】
上記のカバー体１上に貫通槽１１が設けられ、貫通槽１１の近くに貫通穴１２があり、該貫通穴１２上に別々にプロング１３が設けられ、該プロング１３の一部がカバー体１の一端面に接続され、該プロング１３を溶接することが容易になり、もう一部が湾曲されてカバー体１の一側に設けられ、該湾曲をカバー体１の一側にあるプロング１３に設置することにより、基板４に電気的に接続され、また、該カバー体１に固定孔１４が設けられ、該ベース体２が上記カバー体１の一面に配置されることにより、該カバー体１とベース体２の間に第１の挿入槽１５が形成され、該第１の挿入槽１５の規格は、SMCカード５１（Smart Media Card）が挿入できる規格であり、また、該ベース体２の端面上に、該カバー体１の固定孔１４と対応する凸柱２１が設けられることにより、該カバー体１とベース体２とを結合すると、第１の挿入槽１５が形成され、また、該ベース体２上に区切り部２２があり、該区切り部２２により、ベース体２に第２の挿入槽２３及び第３の挿入槽２４を形成し、該第２の挿入槽２３の端面両側には、別々に導通部２３１、２３２が設けられ、該導通部２３１、２３２が、湾曲されて該第２の挿入槽２３の一端面に設けられて、該第２の挿入槽２３及び第３の挿入槽２４の両側に、別々に案内レール２３３、２４２が設置され、また、第３の挿入槽２４の端面の一側に、端子２４１が設けられ、該端子２４１が湾曲されて該第３の挿入槽２４の一端面に設置され、該第２の挿入槽２３の導通部２３１、２３２及び第３の挿入槽２４の端子２４１により、基板４に電気的に接続され、また、該第２の挿入槽２３の規格は、MSカード５２（Memory Stick）及びXDカード５３（XD Picture Card）が挿入できる規格であり、また、該第３の挿入槽２４のきかくは、SDカード５４(Secure Digital Memory Card)及びMMCカード５５(Multi Media Card)が挿入できる規格であり、上記の構成により、改良された新しいメモリカードコネクタが構成される。
【００１０】
以上の詳細な説明から分かるように、本技術をよく分かる熟練者であれば、本考案が確実に前記目的を達成できるもので、実用新案法の条件を満たすから、法に従って出願する。
【図面の簡単な説明】
【００１１】
【図１】本考案の立体外観概念図である。
【図２】本考案の立体分解概念図である。
【図３】本考案の側面概念図である。
【図４】本考案の使用状態概念図である。
【図５】本考案のカード一使用状態概念図である。
【符号の説明】
【００１２】
カバー体．．．．．．．．．．．．．．．．．１
貫通槽．．．．．．．．．．．．．．．．．１１
貫通穴．．．．．．．．．．．．．．．．．１２
プロング．．．．．．．．．．．．．．．．１３
固定孔．．．．．．．．．．．．．．．．．１４
第１の挿入槽．．．．．．．．．．．．．．１５
ベース体．．．．．．．．．．．．．．．．．２
凸柱．．．．．．．．．．．．．．．．．．２１
区切り部．．．．．．．．．．．．．．．．２２
第２の挿入槽．．．．．．．．．．．．．．２３
導通部．．．．．．．．．．．．２３１、２３２
案内レール．．．．．．．．．．．．．．２３３
第３の挿入槽．．．．．．．．．．．．．．２４
端子．．．．．．．．．．．．．．．．．２４１
案内レール．．．．．．．．．．．．．．２４２
基板．．．．．．．．．．．．．．．．．．．４
SMCカード．．．．．．．．．．．．．．．．．５１
MSカード．．．．．．．．．．．．．．．．．．５２
XDカード．．．．．．．．．．．．．．．．．．５３
SDカード．．．．．．．．．．．．．．．．．．５４
MMCカード．．．．．．．．．．．．．．．．．．５５
【図１】
0003100667.tif 000003
【図２】
0003100667.tif 000004
【図３】
0003100667.tif 000005
【図４】
0003100667.tif 000006
【図５】
0003100667.tif 000007
【手続補正書】
【提出日】平成15年10月2日(2003.10.2)
【手続補正１】
【補正対象書類名】実用新案登録請求の範囲
【補正対象項目名】全文
【補正方法】変更
【補正の内容】
【実用新案登録請求の範囲】
【請求項１】
その上に貫通槽が設けられ、貫通槽の近くに貫通穴があり、該貫通穴上に別々にプロングが設けられ、該プロングの一部がカバー体の一端面に接続され、もう一部が湾曲されてカバー体の一側に設けられ、該湾曲をカバー体の一側にあるプロングに設置することにより、基板に電気的に接続される、カバー体と、
上記カバー体の一面に第１のベース体が配置されて、該カバー体と第１のベース体の間に第１の挿入槽が形成され、該ベース体上に区切り部があり、該区切り部を利用して、ベース体に第２の挿入槽及び第３の挿入槽を形成し、該第２の挿入槽及び第３の挿入槽の両側に、別々に案内レールが設けられ、該第２の挿入槽の端面の両側に、別々に導通部が設置され、該導通部が湾曲されて該第２の挿入槽の一端縁に設けられ、また、第３の挿入槽の端面の一側に端子が設けられ、該端子が湾曲されて該第３の挿入槽の一端縁に設けられ、該第２の挿入槽の導通部及び第３の挿入槽の端子により、基板に電気的に接続される、ベース体とがあり、
上記の構成により、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成すること、を特徴とするメモリカードコネクタ。
【請求項２】
上記カバー体上に固定孔が設けられ、上記ベース体の端面上に該カバー体の固定孔と対応する凸柱が設けられることにより、該カバー体とベース体の間に、第１の挿入槽が形成されること、を特徴とする請求項１記載のメモリカードコネクタ。
【請求項３】
上記第２の挿入槽の両側には、別々に案内レールが設けられていること、を特徴とする請求項１記載のメモリカードコネクタ。
【請求項４】
上記第１の挿入槽の規格は、SMC（Smart Media Card）が挿入できる規格であること、を特徴とする請求項１記載のメモリカードコネクタ。
【請求項５】
上記第２の挿入槽の規格は、MS（Memory Stick）規格及びXD（XD Picture Card）が挿入できる規格であること、を特徴とする請求項１記載のメモリカードコネクタ。
【請求項６】
上記第３の挿入槽の規格は、SD(Secure Digital Memory Card)規格及びMMC(Multi Media Card)が挿入できる規格であること、を特徴とする請求項１記載のメモリカードコネクタ。
【手続補正３】
【補正対象書類名】明細書
【補正対象項目名】０００１
【補正方法】変更
【補正の内容】
【０００１】
本考案は、メモリカードコネクタに関し、特に、三つの異なるメモリカードが、同時に該メモリカードコネクタに挿入されて接続されることだけでなく、且つ、五つの異なるメモリカードが挿入されて接続されることができ、共通コネクタとしての効果があって、また、該メモリカードコネクタにより、基板に対する、空間を節約する目的が実現できる。  
【手続補正４】
【補正対象書類名】明細書
【補正対象項目名】０００６
【補正方法】変更
【補正の内容】
【０００６】
本考案は、上記の目的を達成するために、メモリカードコネクタであり、その上に貫通槽が設けられ、貫通槽の近くに貫通穴があり、該貫通穴上に別々にプロングが設けられ、該プロングの一部がカバー体の一端面に接続され、もう一部が湾曲されてカバー体の一側に設けられ、該湾曲をカバー体の一側にあるプロングに設置することにより、基板に電気的に接続される、カバー体と、
上記カバー体の一面に第１のベース体が配置されて、該カバー体と第１のベース体の間に第１の挿入槽が形成され、該ベース体上に区切り部があり、該区切り部を利用して、ベース体に第２の挿入槽及び第３の挿入槽を形成し、該第２の挿入槽及び第３の挿入槽の両側に、別々に案内レールが設けられ、該第２の挿入槽の端面の両側に、別々に導通部が設置され、該導通部が湾曲されて該第２の挿入槽の一端縁に設けられ、また、第３の挿入槽の端面の一側に端子が設けられ、該端子が湾曲されて該第３の挿入槽の一端縁に設けられ、該第２の挿入槽の導通部及び第３の挿入槽の端子により、基板に電気的に接続される、ベース体とがあり、
上記の構成により、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成する。
【手続補正５】
【補正対象書類名】明細書
【補正対象項目名】０００８
【補正方法】変更
【補正の内容】
【０００８】
図１乃至図５は、夫々、本考案の立体外観概念図、本考案の立体分解概念図、本考案の側面概念図、本考案の使用状態概念図、及び本考案のもう一つの使用状態概念図である。図のように、本考案は、メモリカードコネクタであり、カバー体１及びベース体２からなり、該メモリカードコネクタには、同時に三つの異なるメモリカードが挿入されて接続され、且つ、五つの異なるメモリカードが挿入されて接続されることができる、共通コネクタとしての効果を提供して、該メモリカードコネクタにより、基板に対する、空間を節約する目的を達成する。